(57)【要約】      （修正有）【課題】情報提供者から通知された情報と関連する操作ボタンを判り易くする。【解決手段】情報提供システム１は、表示部２２と、制御部２０とを有する。表示部２２は、画面に複数の操作ボタンと、当該画面の所定の領域に通知されたメッセージとを表示する。制御部２０は、メッセージとともに通知された、メッセージと関連する操作ボタンを示す情報に基づいて、メッセージを領域に表示している際に、複数の操作ボタンの中のメッセージと関連する操作ボタンを他の操作ボタンとは異なる表示態様で表示させる。【選択図】図１
2017167674.tif 000002
【特許請求の範囲】
【請求項１】
画面に複数の操作ボタンと、当該画面の所定の領域に通知されたメッセージとを表示する表示部と、
前記メッセージとともに通知された、当該メッセージと関連する操作ボタンを示す情報に基づいて、前記メッセージを前記領域に表示している際に、前記複数の操作ボタンの中の前記メッセージと関連する操作ボタンを他の操作ボタンとは異なる表示態様で表示させる制御部と
を有することを特徴とする情報提供装置。
【請求項２】
前記表示部は、複数のメッセージの中の所定のメッセージをスクロールして前記領域に表示し、
前記制御部は、前記所定のメッセージをスクロールして前記領域に表示している際に、当該所定のメッセージと関連する操作ボタンを他の操作ボタンとは異なる表示態様で表示させる
ことを特徴とする請求項１に記載の情報提供装置。
【請求項３】
前記制御部は、前記メッセージとともに通知された、当該メッセージと関連するコンテンツを示す情報に基づいて、前記メッセージと関連する操作ボタンが操作された場合に、前記メッセージと関連するコンテンツを表示させる
ことを特徴とする請求項１または２に記載の情報提供装置。
【請求項４】
画面に複数の操作ボタンと、当該画面の所定の領域に通知されたメッセージとを表示し、
前記メッセージとともに通知された、当該メッセージと関連する操作ボタンを示す情報に基づいて、前記メッセージを前記領域に表示している際に、前記複数の操作ボタンの中の前記メッセージと関連する操作ボタンを他の操作ボタンとは異なる表示態様で表示させる
処理をコンピュータが実行することを特徴とする情報提供方法。
【請求項５】
画面に複数の操作ボタンと、当該画面の所定の領域に通知されたメッセージとを表示し、
前記メッセージとともに通知された、当該メッセージと関連する操作ボタンを示す情報に基づいて、前記メッセージを前記領域に表示している際に、前記複数の操作ボタンの中の前記メッセージと関連する操作ボタンを他の操作ボタンとは異なる表示態様で表示させる
処理をコンピュータに実行させることを特徴とする情報提供プログラム。
【発明の詳細な説明】
【技術分野】
【０００１】
本発明の実施形態は、情報提供装置、情報提供方法および情報提供プログラムに関する。
【背景技術】
【０００２】
従来、ホテルなどのサービス業では、情報提供者（例えば、ホテルのフロント係）がクライアント（例えば、ホテルの宿泊客）の端末に対して種々な情報提供を行っている。クライアント端末は、各種の操作ボタンが表示されたポータル画面上の所定の領域（エリア）に情報提供者から通知された文字情報コンテンツなどの情報を表示してクライアントへ通知する。
【先行技術文献】
【特許文献】
【０００３】
【特許文献１】特開２００１−３０６５９９号公報
【特許文献２】特開２０１４−２２８８８０号公報
【発明の概要】
【発明が解決しようとする課題】
【０００４】
しかしながら、上記の従来技術では、各種の操作ボタンの中で情報提供者から通知された情報と関連する操作ボタンが判りづらいという問題がある。
【０００５】
例えば、ホテルにあるレストランのキャンペーン情報が通知されて画面に表示された際に、レストランのキャンペーン情報に興味を示したクライアントが詳細なレストラン案内を調べようとする場合がある。この時、クライアントは、各種の操作ボタンの中からレストラン案内に関する情報を閲覧するための操作ボタンを選ぶこととなる。しかしながら、クライアントは、数ある操作ボタンの中からどの操作ボタンを選べばよいのか容易に判るものではない。また、所定の領域内に文字情報をスクロールして表示するテロップ表示により通知されたキャンペーン情報を表示している場合には、複数あるキャンペーン情報が次から次へとスクロールして表示されるため、クライアントがキャンペーン情報を確認できる時間が限られる。このため、クライアントが興味を示したテロップ表示に関する操作ボタンを選ぶことは容易ではない。
【０００６】
１つの側面では、情報提供者から通知された情報と関連する操作ボタンを判り易くする情報提供装置、情報提供方法および情報提供プログラムを提供することを目的とする。
【課題を解決するための手段】
【０００７】
第１の案では、情報提供装置は、表示部と、制御部とを有する。表示部は、画面に複数の操作ボタンと、当該画面の所定の領域に通知されたメッセージとを表示する。制御部は、メッセージとともに通知された、メッセージと関連する操作ボタンを示す情報に基づいて、メッセージを領域に表示している際に、複数の操作ボタンの中のメッセージと関連する操作ボタンを他の操作ボタンとは異なる表示態様で表示させる。
【発明の効果】
【０００８】
本発明の１実施態様によれば、情報提供者から通知された情報と関連する操作ボタンを判り易くすることができる。
【図面の簡単な説明】
【０００９】
【図１】図１は、実施形態にかかる情報提供システムの機能構成例を示すブロック図である。
【図２】図２は、ポータル画面を説明する説明図である。
【図３】図３は、管理ＤＢのデータ構成例を説明する説明図である。
【図４】図４は、実施形態にかかる情報提供システムの動作例を説明するフローチャートである。
【図５】図５は、コンテンツの表示例を説明する説明図である。
【図６】図６は、情報処理装置のハードウエア構成を例示するブロック図である。
【発明を実施するための形態】
【００１０】
以下、図面を参照して、実施形態にかかる情報提供装置、情報提供方法および情報提供プログラムを説明する。実施形態において同一の機能を有する構成には同一の符号を付し、重複する説明は省略する。なお、以下の実施形態で説明する情報提供装置、情報提供方法および情報提供プログラムは、一例を示すに過ぎず、実施形態を限定するものではない。また、以下の各実施形態は、矛盾しない範囲内で適宜組みあわせてもよい。
【００１１】
図１は、実施形態にかかる情報提供システムの機能構成例を示すブロック図である。情報提供システム１は、例えばホテルのフロント係などの情報提供者がクライアント（宿泊者１０）に対して種々な情報を提供するためのシステムである。図１に示すように、情報提供システム１は、クライアント端末２と、サーバ装置３と、管理端末４とを有する。クライアント端末２と、サーバ装置３と、管理端末４とは、例えば有線または無線のＬＡＮ（Local  Area  Network）などの通信ネットワーク（図示しない）を介して互いに通信可能に接続される。
【００１２】
なお、本実施形態では、ホテルにおいてフロント係が宿泊者１０に対して種々の情報を提供するために用いられる情報提供システム１を例示するが、ホテル以外のシステムに情報提供システム１を適用してもよい。例えば、飲食店などにおける客席の端末へメニューや広告等のメッセージを通知して端末からの注文を受け付ける注文システムや、予め登録されたユーザの端末に様々なニュースを配信する配信システムなどへの適用がある。
【００１３】
クライアント端末２は、宿泊者１０が用いる端末装置であり、ホテルのフロント係などの情報提供者によりサーバ装置３に設定され、サーバ装置３より通知された情報を受信して画面に表示することで宿泊者１０に対して種々な情報を提供する情報提供装置である。例えば、クライアント端末２は、ＰＣ（パーソナルコンピュータ）やタブレット端末などの情報処理装置（コンピュータ）を採用できる。例えば、クライアント端末２は、宿泊者１０の客室などに予め設置されている。なお、クライアント端末２については、客室に固定して使用するものに限定するものではなく、館内において持ち運んで使用するものであってもよい。本実施形態では、館内において持ち運んでの使用が可能なタブレット型のクライアント端末２を、例えばフロントでの手渡しにより宿泊者１０に提供するものとする。
【００１４】
サーバ装置３は、クライアント端末２および管理端末４をクライアント（ここでは宿泊者１０のクライアントと区別するため（Ｃ）を付ける）として収容する、いわゆるサーバである。一実施形態として、サーバ装置３には、ＰＣやＷＳ（ワークステーション）などの装置を採用できる。例えば、サーバ装置３は、クライアント端末２および管理端末４のクライアント（Ｃ）からのＨＴＴＰ（HyperText  Transfer  Protocol）による要求に対して各種情報を提供する。また、サーバ装置３は、双方向通信用の技術規格であるＷｅｂＳｏｃｋｅｔを用いてクライアント（Ｃ）との間で双方向通信を行い、例えばクライアント端末２の設定や状態の取得またはクライアント端末２へのメッセージ等の通知を行う。
【００１５】
管理端末４は、フロント係などの情報提供者や情報提供システム１を管理するＳＥ（システムエンジニア）などの管理者が用いる端末装置であり、例えばＰＣなどの情報処理装置である。管理端末４は、例えばＷｅｂブラウザをベースとした管理アプリケーションまたはＷｅｂコンソールによりサーバ装置３における所定のＵＲＬ（Uniform  Resource  Locator）へアクセスすることで、サーバ装置３が管理する情報の参照や、各種設定を行う。例えば、フロント係などの情報提供者が管理端末４を介して行うサーバ装置３の設定には、サーバ装置３よりクライアント端末２へ通知するメッセージ等の設定がある。
【００１６】
クライアント端末２は、制御部２０、記憶部２１および表示部２２を有する。制御部２０は、クライアント端末２全体を制御するデバイスである。制御部２０としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部２０は、各種の処理手順を規定したプログラムや制御データを格納するための内部メモリを有し、これらによってサービスエージェント２０１、ポータルアプリ２０２、個別アプリ２０３ａ、２０３ｂ等のプログラムによる種々の処理を実行する。
【００１７】
サービスエージェント２０１は、例えば、バックグラウンドで稼動している常駐プログラムであり、サーバ装置３から送信される制御コマンドに対応するＵＲＬを、制御コマンドに対応するアプリケーションプログラムに指示する。例えば、記憶部２１に格納した情報をサーバ装置３へ送信するページのＵＲＬをポータルアプリ２０２に提供する。そして、ポータルアプリ２０２はＨＴＴＰプロトコルにより、記憶部２１に格納した情報を、管理部３０１を経由して管理ＤＢ３１１へ送信する。別の例として、サーバ装置３から送信される制御コマンドが、情報を送信するコマンドであった場合には、サービスエージェント２０１は、目的の情報をサーバ装置３からダウンロードするページのＵＲＬを対応するアプリケーションに提供する。そして、アプリケーションプログラムはＨＴＴＰプロトコルにより、管理部３０１を経由して管理ＤＢ３１１から情報を取得し、取得した情報を記憶部２１に格納する。このようにして、サービスエージェント２０１は、クライアント端末２とサーバ装置３との間で双方向のデータ通信を行う。一例として、サービスエージェント２０１は、双方向通信用の技術規格であるＷｅｂＳｏｃｋｅｔを用いてサーバ装置３をトリガとする双方向通信を行う。
【００１８】
例えば、サービスエージェント２０１は、サーバ装置３からの通知を受信すると、通知内容をポータルアプリ２０２、個別アプリ２０３ａ、２０３ｂなどに通知する。また、サービスエージェント２０１は、ポータルアプリ２０２、個別アプリ２０３ａ、２０３ｂなどからの送信指示に応じて、指示された内容をサーバ装置３へ通知する。
【００１９】
ポータルアプリ２０２は、例えばＷｅｂブラウザをベースとしたアプリケーションプログラムであり、宿泊者１０に対して各種サービスを提供するポータル画面を表示部２２に表示する。このポータル画面は、例えばＨＴＭＬ（HyperText  Markup  Language）のＷｅｂページで構成されており、記憶部２１に記憶された各種情報や、サービスエージェント２０１を介してサーバ装置３より通知されたメッセージなどの情報が表示される。
【００２０】
また、ポータル画面には、個別アプリ２０３ａ、２０３ｂの起動を、ローカルのＵＲＬで指定したアイコンボタンが表示される。また、ポータル画面には、サーバ装置３において管理される情報（例えばメッセージの本文）の参照を、サーバ装置３のＵＲＬ（例えば具体的な参照先は引数などのパラメータで指定してもよい）で指定したアイコンボタンが表示される。また、ポータル画面は、サーバ装置３より通知されたメッセージをスクロールしてテロップ表示する表示領域を有する。このテロップ表示の表示領域には、サーバ装置３より通知されたテロップ用のメッセージが順次スクロールして表示される。
【００２１】
個別アプリ２０３ａ、２０３ｂで起動するアプリケーションプログラムの設定は、ローカルのＵＲＬから、アプリケーションプログラムに対応づけられたアイコンボタンを指定することにより設定され、指定されたアイコンボタンがポータル画面に表示される。また、サーバ装置３において管理される情報（例えばメッセージの本文）の通知は、サーバ装置３のＵＲＬ（例えば具体的な参照先は引数などのパラメータで指定してもよい）により指定されたアイコンボタンが表示されることでユーザに通知できる。
【００２２】
ポータルアプリ２０２は、ポータル画面において宿泊者１０によるタッチスクリーン（図示しない）などの操作などを受け付けて、操作に対応した処理結果を表示部２２に表示させる。例えば、個別アプリ２０３ａ、２０３ｂの起動を指示するアイコンボタンの操作を受け付けた場合、個別アプリ２０３ａ、２０３ｂを起動させることで、個別アプリ２０３ａ、２０３ｂの画面をディスプレイに表示させる。また、サーバ装置３において管理される情報の参照を指示するアイコンボタンの操作を受け付けた場合、サーバ装置３のＵＲＬにＨＴＴＰでアクセスして取得した情報（例えばメッセージの本文）をディスプレイに表示させる。
【００２３】
図２は、ポータル画面を説明する説明図である。図２に示すように、ポータル画面２２０は、メッセージ表示アイコン２２１、時計２２２、実行指示アイコン２２３、設定指示アイコン２２４およびテロップ表示領域２２５を有する。
【００２４】
メッセージ表示アイコン２２１は、サーバ装置３よりテロップ表示領域２２５にテロップ表示するメッセージとは別の通常のメッセージが通知されている場合に表示されるアイコンである。ポータルアプリ２０２は、通常のメッセージとして記憶部２１に格納されたデータがある場合、メッセージ表示アイコン２２１を表示する。メッセージ表示アイコン２２１は、メッセージのタイトル、内容などを記憶部２１より読み出して表示するメッセージ閲覧機能を有する個別アプリのランチャとなっている。
【００２５】
ポータルアプリ２０２では、メッセージ表示アイコン２２１の操作を受け付けることでメッセージ閲覧機能を有する個別アプリを起動して、サーバ装置３より通知されたメッセージのタイトル、内容などを画面に表示する。なお、クライアント端末２宛のメッセージがあることを示す通知が行われている場合（メッセージの内容や画像などのデータが記憶部２１に含まれておらず、サーバ装置３にある場合）、メッセージの内容や画像などがサーバ装置３から通知されていない。したがって、クライアント端末２宛のメッセージがあることを示す通知の場合には、クライアントの操作により、記憶部２１に格納されたメッセージＩＤをパラメータとしてサーバ装置３の所定のＵＲＬへアクセスし、メッセージの内容や画像のデータをサーバ装置３より取得して表示する。
【００２６】
なお、メッセージの内容や画像のデータの取得のタイミングは、クライアントの操作によるものには限らない。例えば、通信処理部３０２から送信される制御パケットをサービスエージェント２０１が受信し、サービスエージェント２０１が、メッセージの内容や画像のデータを取得するポータルアプリケーションプログラムを制御するようにしてもよい。制御が指示されたポータルアプリケーションプログラムは、サービスエージェント２０１から通知された所定のＵＲＬへアクセスし、サービスエージェント２０１を経由して管理ＤＢ３１１からメッセージの内容や画像のデータを取得し、記憶部２１に格納する。ポータルアプリケーションプログラムは参照可能なメッセージを記憶部２１に格納すると、メッセージがあることを示す表示を行う。そして、その表示に気づいたクライアントの操作によりメッセージを表示する個別アプリケーションプログラムが起動されて、記憶部２１に格納されたメッセージの内容や画像のデータを表示するようにしてもよい。
【００２７】
実行指示アイコン２２３は、アラーム機能、世界各地の現在時刻を表示する時計機能、テレビリモコン機能、インターネットの閲覧機能、各種案内コンテンツを表示する機能など、機能ごとに用意された個別アプリの実行を指示するボタン（アイコン）である。例えば、客室設備避難経路などのコンテンツを表示する実行指示アイコン２２３が操作された場合には、対応する個別アプリ（例えば個別アプリ２０３ｂ）が実行される。個別アプリ２０３ｂは、サーバ装置３の所定のＵＲＬへアクセスし、サーバ装置３が管理するコンテンツを読み出して表示する。
【００２８】
なお、実行指示アイコン２２３における、アラーム機能、世界各地の現在時刻を表示する時計機能、テレビリモコン機能、インターネットの閲覧機能、各種案内コンテンツを表示する機能などの各機能ボタンについては、それぞれ固有の名称が割り当てられている。例えば、テレビリモコン機能については「テレビリモコン」、インターネット閲覧機能については「インターネット」、各種案内コンテンツを表示する機能については「イベント、レストラン案内」などがある。他の機能についても同様に固有の名称が割り当てられており、この固有の名称により各機能ボタンを識別することができる。
【００２９】
設定指示アイコン２２４は、クライアント端末２の使用言語などの各種設定を指示するアイコンである。設定指示アイコン２２４は、言語などの各種設定機能を提供する個別アプリのランチャとなっている。ポータルアプリ２０２では、設定指示アイコン２２４の操作を受け付けることで各種設定を行う個別アプリを起動して使用言語などの各種設定を行う。また、各種設定を行う個別アプリにより設定された内容は、設定情報として記憶部２１などに格納される。クライアント端末２のユーザである宿泊者１０は、設定指示アイコン２２４を操作することで、クライアント端末２の使用言語などの各種設定を行うことができる。
【００３０】
テロップ表示領域２２５は、サーバ装置３より通知されたテロップ用のメッセージをスクロールして表示する領域である。ポータルアプリ２０２は、テロップ用のメッセージとして記憶部２１に格納されたコンテンツ管理２１１がある場合に、コンテンツ管理２１１に含まれるテロップ用のメッセージ文を読み出す。次いで、ポータルアプリ２０２は、読み出したメッセージ文を、例えばテロップ表示領域２２５の右方向から左方向にスクロールしてテロップ表示する。
【００３１】
個別アプリ２０３ａ、２０３ｂは、時計機能、アラーム機能、テレビリモコン機能、通知されたメッセージの閲覧機能、インターネットの閲覧機能、言語などの各種設定機能など、機能ごとに用意されたアプリケーションプログラムである。個別アプリ２０３ａ、２０３ｂは、例えばポータルアプリ２０２のポータル画面２２０上での指示や、サービスエージェント２０１を介したサーバ装置３からの通知に応じて起動され、各種機能を提供する。
【００３２】
例えば時計機能は、ホテルが所在する宿泊地の時刻だけでなく、宿泊者１０の自宅の時刻を合わせて表示する世界時計として機能するアプリケーションプログラムであってもよい。例えばアラーム機能は、起床時間を設定可能な目覚まし時計として機能するアプリケーションプログラムであってもよい。
【００３３】
例えばテレビリモコン機能は、客室に設置されたテレビの赤外線による制御信号が登録されており、登録された制御信号に対応する機能ボタンを表示し、機能ボタンの操作を受け付けると、対応づけられた制御信号を赤外線により発信するアプリケーションプログラムであってもよい。機能ボタンがチャンネルを表す機能ボタンである場合、電子番組表と共に表示したり、これから放送される番組情報と共に表示してもよい。
【００３４】
例えば通知されたメッセージの閲覧機能は、ホテルのフロント係が入力したメッセージが存在する場合に、ポータル画面２２０にメッセージの閲覧機能を機能させるメッセージ表示アイコン２２１が表示され、メッセージ表示アイコン２２１の操作を受け付けると、メッセージを表示するアプリケーションプログラムであってもよい。
【００３５】
例えばインターネットの閲覧機能は、ホテルが情報提供したいＵＲＬ毎に用意したそれぞれの機能ボタンがポータル画面２２０に表示され、機能ボタンの操作を受け付けると、対応するＵＲＬに用意された情報を表示するアプリケーションプログラムであってもよい。
【００３６】
例えば各種設定機能は、言語の切り替えなどの各種設定を連想させる機能ボタンがポータル画面２２０に表示され、機能ボタンの選択操作を受け付けると選択された設定を表示し、動作モードを選択された設定内容に対応するモードに切り替える設定アプリケーションプログラムであってもよい。
【００３７】
記憶部２１は、ハードディスク、ＳＳＤ（Solid  State  Drive）、光ディスクなどの記憶装置である。なお、記憶部２１は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。記憶部２１は、制御部２０で実行されるＯＳ（Operating  System）や、サービスエージェント２０１、ポータルアプリ２０２、個別アプリ２０３ａ、２０３ｂ等の各種プログラムを記憶する。さらに、記憶部２１は、各種プログラムなどが用いる各種情報を記憶する。例えば、記憶部２１は、コンテンツを識別するコンテンツＩＤごとに、コンテンツの内容を管理するコンテンツ管理２１１と、テロップ表示を行うテロップ用のメッセージについての設定内容を示すメッセージデータ２１２とを記憶する。
【００３８】
表示部２２は、ＬＣＤ（Liquid  Crystal  Display）などの表示装置であり、制御部２０の制御のもとポータル画面２２０などの表示を行う。
【００３９】
サーバ装置３は、制御部３０および記憶部３１を有する。制御部３０は、クライアント端末２の制御部２０と同様、サーバ装置３全体を制御するデバイスである。制御部３０は、各種の処理手順を規定したプログラムや制御データを格納するための内部メモリを有し、これらによって管理部３０１および通信処理部３０２の機能を実現する。
【００４０】
管理部３０１は、所定のＵＲＬへのクライアント端末２からのアクセスに応じて提供する客室設備避難経路などのコンテンツを管理する。具体的には、管理部３０１は、管理端末４のＷｅｂコンソールからのアクセスに応じて、コンテンツの新規登録、変更などのコンテンツ管理にかかるコンソール画面を出力する。次いで、管理部３０１は、Ｗｅｂコンソールより受け付けたコンソール画面の指示をもとに、コンテンツの新規登録、変更を受け付ける。次いで、管理部３０１は、コンソール画面より受け付けたコンテンツの新規登録、変更の内容を、管理ＤＢ３１１においてコンテンツごとの情報を管理するテーブル（図示しない）に反映する。また、管理部３０１は、コンテンツの表示を行う個別アプリ（例えば個別アプリ２０３ｂ）によるクライアント端末２からのアクセスに応じて、コンテンツごとの情報を管理するテーブルの内容を読み出し、クライアント端末２へ送信する。
【００４１】
また、管理部３０１は、宿泊者１０が宿泊する宿泊部屋（客室）にかかる情報を管理する。例えば、管理部３０１は、客室のクライアント端末２より識別情報（例えばタブレットＩＤ）とともに通知された設定またはステータスをもとに、管理ＤＢ３１１において識別情報ごとに管理されるクライアント端末２の設定またはステータスを更新する。また、管理部３０１は、管理端末４より１または複数のクライアント端末２を宛先とするメッセージの登録を受け付けた場合、メッセージを識別する識別情報（例えばメッセージＩＤ）を発行し、受け付けたメッセージの情報を管理ＤＢ３１１に記録する。
【００４２】
メッセージの情報としては、例えば時間帯、メッセージ種別、メッセージの内容、連動ボタンおよび連動コンテンツなどがある。時間帯は、メッセージの開始および終了日時など、宿泊者１０にメッセージを提供する時間帯を示す。メッセージ種別は、テロップ表示を行うテロップ用のメッセージまたは通常のメッセージなどの、メッセージの種別を示す。メッセージの内容は、メッセージ文などである。連動ボタンは、メッセージと関連する機能としてメッセージを表示する際に連動する表示を行う機能ボタンを示す、機能ボタンの固有の名称などである。連動コンテンツは、メッセージと関連するコンテンツとして連動して表示するコンテンツを示すコンテンツＩＤなどである。
【００４３】
また、管理部３０１は、管理ＤＢ３１１に記録されたメッセージの情報を読み出し、メッセージの情報において設定された時間帯などの条件をもとに、通信処理部３０２を介してメッセージをクライアント端末２へ通知する。
【００４４】
また、管理部３０１は、ＨＴＴＰを用いた所定のＵＲＬへのアクセスにおいて、パラメータなどでリクエストされた情報を提供するＡＰＩ（Application  Programming  Interface）として機能する。例えば、管理部３０１は、管理端末４からのポータル管理アプリのアクセスに応じて管理ＤＢ３１１においてクライアント端末２ごとに管理している各種情報を表示するポータル管理画面の表示データ（例えばＨＴＭＬ形式のデータ）を生成し、管理端末４へ出力する。
【００４５】
また、管理部３０１は、ポータル管理画面上での操作に対応するパラメータを管理端末４のポータル管理アプリより受け付けて、受け付けたパラメータに対応する処理を実行する。一例として、管理部３０１は、１または複数のクライアント端末２を宛先とするメッセージの登録を受け付ける。登録を受け付けたメッセージは、管理部３０１が管理ＤＢ３１１に登録する。また、管理部３０１は、設定やステータスの更新、初期化などのクライアント端末２に対する所定のコマンドを受け付ける。受け付けたコマンドは、通信処理部３０２へ渡されて、クライアント端末２への通知が行われる。
【００４６】
通信処理部３０２は、クライアント端末２のサービスエージェント２０１と同様、例えば、バックグラウンドで稼動している常駐プログラムであり、クライアント端末２との間で双方向のデータ通信を行う。一例として、通信処理部３０２は、双方向通信用の技術規格であるＷｅｂＳｏｃｋｅｔを用いてクライアント端末２との間での双方向通信を行う。
【００４７】
例えば、通信処理部３０２は、クライアント端末２より通知された情報（クライアント端末２の識別情報やステータスなど）を受信して管理部３０１へ出力する。また、通信処理部３０２は、管理部３０１により管理ＤＢ３１１に登録されたメッセージを読み出して、メッセージの宛先に対応するクライアント端末２へ通知（送信）する。また、通信処理部３０２は、所定のコマンドのクライアント端末２への通知を管理部３０１を介して管理端末４より受け付けた場合に、受け付けたコマンドをクライアント端末２へ通知する。
【００４８】
記憶部３１は、ハードディスク、ＳＳＤ、光ディスクなどの記憶装置である。なお、記憶部３１は、ＲＡＭ、フラッシュメモリ、ＮＶＳＲＡＭなどのデータを書き換え可能な半導体メモリであってもよい。記憶部３１は、制御部３０で実行されるＯＳや、管理部３０１および通信処理部３０２の機能を提供するプログラムを記憶する。また、記憶部３１は、各クライアント端末２にかかる設定やステータス、各クライアント端末２に提供するコンテンツなどの各種情報を記憶する。また、記憶部３１は、例えばクライアント端末２に通知してテロップ表示させるテロップ用のメッセージについての設定内容を記録するテロップスケジュール３１１ａ、テロップ内容３１１ｂおよびコンテンツ管理３１１ｃを有する管理ＤＢ３１１を記憶する。
【００４９】
図３は、管理ＤＢ３１１のデータ構成例を説明する説明図である。図３に示すように、管理ＤＢ３１１は、テロップスケジュール３１１ａ、テロップ内容３１１ｂおよびコンテンツ管理３１１ｃを有する。テロップスケジュール３１１ａは、テロップ用のメッセージごとの通知スケジュールを示すテーブルである。具体的には、テロップスケジュール３１１ａには、１７：００〜１７：１０などの時間帯ごとに、通知するテロップ用のメッセージを示すメッセージＩＤが示されている。管理部３０１は、テロップスケジュール３１１ａを参照することで、現在の時間帯で通知を行うテロップ用のメッセージを特定することができる。
【００５０】
テロップ内容３１１ｂは、テロップ用のメッセージごとの設定内容を示すテーブルである。具体的には、テロップ内容３１１ｂには、メッセージＩＤごとに、メッセージ文などであるメッセージ、連動ボタンおよび連動コンテンツ（コンテンツＩＤ）などの設定内容が示されている。連動ボタンは、関連する機能としてテロップ表示の際に連動する表示を行う機能ボタンの固有の名称（例えば「イベント、レストラン案内」）などである。連動コンテンツは、機能ボタンの操作が行われた際に、関連するコンテンツとして表示するコンテンツを示すコンテンツＩＤなどである。
【００５１】
コンテンツ管理３１１ｃは、コンテンツＩＤで識別されるコンテンツごとの内容を示すテーブルである。具体的には、コンテンツ管理３１１ｃは、コンテンツＩＤとコンテンツの内容（コンテンツそのもの、またはコンテンツの参照先を示す情報（ＵＲＬなど））との対応が示されている。
【００５２】
このテロップスケジュール３１１ａ、テロップ内容３１１ｂおよびコンテンツ管理３１１ｃには、管理部３０１が管理端末４のポータル管理画面などで受け付けた内容に基づいて反映した情報が格納される。
【００５３】
例えば、管理部３０１は、クライアント端末２に通知を行うテロップ用のメッセージとして特定されたメッセージの設定内容（メッセージ、連動ボタン、連動コンテンツ）をテロップ内容３１１ｂより読み出す。次いで、管理部３０１は、読み出したテロップ用のメッセージの設定内容をコンテンツ管理３１１ｃとともに通信処理部３０２を介してクライアント端末２に通知する。クライアント端末２のサービスエージェント２０１は、サーバ装置３より通知された、テロップ用のメッセージの設定内容をメッセージデータ２１２とし、コンテンツ管理３１１ｃをコンテンツ管理２１１として記憶部２１に格納する。
【００５４】
ここで、サーバ装置３からテロップ用のメッセージをクライアント端末２に通知し、クライアント端末２において通知されたメッセージをテロップ表示する際の動作の詳細を説明する。図４は、実施形態にかかる情報提供システム１の動作例を説明するフローチャートである。
【００５５】
先ず、サーバ装置３側の処理の詳細を説明する。図４に示すように、処理が開始されると、サーバ装置３の管理部３０１は、現在の時刻を取得し（Ｓ１）、テロップスケジュール３１１ａを参照して現在の時刻において通知する対象となるメッセージのメッセージＩＤを特定する（Ｓ２）。
【００５６】
次いで、管理部３０１は、テロップ内容３１１ｂを参照し、Ｓ２で特定したメッセージの設定内容（メッセージ、連動ボタン、連動コンテンツ）を読み出す。次いで、管理部３０１は、読み出した設定内容をもとに、メッセージと連動して表示する連動ボタンを特定する（Ｓ３）。
【００５７】
次いで、管理部３０１は、Ｓ２で特定したメッセージの設定内容（メッセージ、連動ボタン、連動コンテンツ）をもとに、通信処理部３０２を介してメッセージを通知して、Ｓ２で特定したメッセージの表示を指示する（Ｓ４）。また、管理部３０１は、Ｓ２で特定したメッセージの設定内容をもとに、通信処理部３０２を介して連動ボタンを通知して、Ｓ２で特定したメッセージにおける連動ボタンの強調表示を指示する（Ｓ５）。また、管理部３０１は、Ｓ２で特定したメッセージの設定内容をもとに、通信処理部３０２を介して連動コンテンツを通知して、Ｓ２で特定したメッセージにおける連動コンテンツを指示する（Ｓ６）。クライアント端末２の制御部２０は、Ｓ４〜Ｓ６において指示された内容（メッセージの設定内容）をメッセージデータ２１２として記憶部２１に格納する。
【００５８】
次いで、管理部３０１は、テロップスケジュール３１１ａをもとに、現在の時間帯がＳ２で特定したメッセージについての通知を行う時間帯であるか否かを判定する（Ｓ７）。通知を行う時間帯である場合（Ｓ７：ＹＥＳ）は、処理を待機する。
【００５９】
通知を行う時間帯でない場合（Ｓ７：ＮＯ）、管理部３０１は、Ｓ２で特定したメッセージについて、通信処理部３０２を介して表示の終了を通知する。具体的には、管理部３０１は、表示を終了するメッセージのメッセージＩＤを通信処理部３０２を介して通知する。これにより、クライアント端末２の制御部２０は、記憶部２１に格納されたメッセージデータ２１２より表示の終了を通知されたメッセージを消去し、メッセージの表示を終了する。
【００６０】
次に、クライアント端末２側の処理の詳細を説明する。ポータルアプリ２０２は、メッセージデータ２１２を参照し、Ｓ４において指示されたメッセージをメッセージデータ２１２より読み出し、テロップ表示領域２２５にテロップ表示する（Ｓ１０）。次いで、ポータルアプリ２０２は、Ｓ７において表示の終了が通知されたところで、Ｓ１０におけるメッセージのテロップ表示を終了する（Ｓ１１）。
【００６１】
また、ポータルアプリ２０２は、メッセージデータ２１２を参照し、Ｓ４において指示されたメッセージをテロップ表示している際に、Ｓ５において指示された連動ボタンを強調表示する（Ｓ２０）。次いで、ポータルアプリ２０２は、Ｓ７において表示の終了が通知されたところで、Ｓ２０における連動ボタンの強調表示を終了する（Ｓ２１）。
【００６２】
図５は、コンテンツの表示例を説明する説明図である。図５左側のポータル画面２２０に示すように、クライアント端末２は、実行指示アイコン２２３の中でテロップ表示領域２２５のメッセージに連動する機能ボタンを例えば太枠などで強調表示２２３ａする。これにより、クライアント端末２のユーザ（宿泊者１０）は、サーバ装置３より通知されてテロップ表示領域２２５にテロップ表示されるメッセージと関連する機能ボタンを容易に判別することができる。なお、図示した強調表示２２３ａの表示態様は一例であり、点滅表示、色の変更、アイコン画像の付与など、他の表示態様としてもよい。
【００６３】
また、ポータルアプリ２０２は、コンテンツ管理２１１を参照し、Ｓ４において指示されたメッセージをテロップ表示している際に、Ｓ６において指示された連動コンテンツ（コンテンツの内容）を特定する（Ｓ３０）。
【００６４】
次いで、ポータルアプリ２０２は、メッセージに連動する機能ボタンの押下操作を受け付けた場合（Ｓ３１）、Ｓ３０で特定した連動コンテンツの有無を判定する（Ｓ３２）。
【００６５】
連動コンテンツがある場合、すなわち、Ｓ３０においてコンテンツの内容が特定されている場合（Ｓ３２：ＹＥＳ）、ポータルアプリ２０２は、機能ボタンに対応するアプリケーションプログラム（例えば個別アプリ２０３ｂ）を起動する際に、特定されているコンテンツの内容を引数などとして渡す。これにより、機能ボタンに対応するアプリケーションプログラムは、連動コンテンツを表示部２２に表示する（Ｓ３３）。
【００６６】
具体的には、図５右上の連動コンテンツ画面２２０ａに示すように、クライアント端末２は、テロップ表示領域２２５のメッセージと連動するコンテンツ２２６を表示部２２の画面に表示する。これにより、ユーザ（宿泊者１０）は、メッセージと連動するコンテンツ２２６を容易に確認することができる。
【００６７】
また、連動コンテンツがない場合、すなわち、Ｓ３０においてコンテンツの内容が特定されていない場合（Ｓ３２：ＮＯ）、ポータルアプリ２０２は、機能ボタンに対応するアプリケーションプログラム（例えば個別アプリ２０３ｂ）をそのまま起動する。これにより、機能ボタンに対応するアプリケーションプログラムは、標準のコンテンツトップを表示する（Ｓ３４）。
【００６８】
具体的には、図５右下のコンテンツトップ画面２２０ｂに示すように、クライアント端末２は、連動コンテンツがない場合には、各種のメニューボタン２２７などが配置された標準の起動画面（コンテンツトップ）を表示する。
【００６９】
以上のように、クライアント端末２は、表示部２２において、ポータル画面２２０に複数の機能ボタン（実行指示アイコン２２３）と、テロップ表示領域２２５にサーバ装置３より通知されたメッセージとを表示する。また、クライアント端末２は、メッセージとともに通知された、メッセージと関連する機能ボタンを示す連動ボタンに基づいて、メッセージをテロップ表示領域２２５に表示している際に、関連する機能ボタンを強調表示して他の機能ボタンとは異なる表示態様とする。これにより、クライアント端末２は、フロント係などの情報提供者から通知されたメッセージと関連する機能ボタンを判り易くすることができる。
【００７０】
また、クライアント端末２は、メッセージとともにサーバ装置３より通知された、メッセージと関連するコンテンツを示す連動コンテンツに基づいて、メッセージと関連する機能ボタンが操作された場合に、メッセージと関連するコンテンツを表示させる。これにより、クライアント端末２は、フロント係などの情報提供者から通知されたメッセージと関連するコンテンツを容易に提供することができる。
【００７１】
ところで、上記の実施形態で説明したクライアント端末２、サーバ装置３および管理端末４における各種の処理は、予め用意されたプログラムをコンピュータ（情報処理装置）で実行することで実現できる。そこで、以下では、上記の実施形態と同様の機能を有するプログラムを実行するコンピュータ（ハードウエア）の一例を説明する。図６は、情報処理装置のハードウエア構成を例示するブロック図である。
【００７２】
図６に示すように、情報処理装置１００は、各種演算処理を実行するＣＰＵ１０１と、データ入力を受け付ける入力装置１０２と、モニタ１０３と、スピーカ１０４とを有する。また、情報処理装置１００は、記憶媒体からプログラム等を読み取る媒体読取装置１０５と、各種装置と接続するためのインタフェース装置１０６と、有線または無線により外部機器と通信接続するための通信装置１０７とを有する。また、情報処理装置１００は、各種情報を一時記憶するＲＡＭ１０８と、ハードディスク装置１０９とを有する。また、情報処理装置１００内の各部（１０１〜１０９）は、バス１１０に接続される。
【００７３】
ハードディスク装置１０９には、例えば、サービスエージェント２０１、ポータルアプリ２０２、個別アプリ２０３ａ、２０３ｂなどと同様の機能を有するプログラムが記憶される。また、ハードディスク装置１０９には、プログラムを実現するための各種データが記憶される。入力装置１０２は、例えば情報処理装置１００の操作者から操作情報の入力を受け付ける。モニタ１０３は、例えば操作者が操作する各種画面を表示する。インタフェース装置１０６は、例えば印刷装置等が接続される。通信装置１０７は、ＬＡＮ等の通信ネットワークと接続され、通信ネットワークを介した外部機器との間で各種情報をやりとりする。
【００７４】
ＣＰＵ１０１は、ハードディスク装置１０９に記憶された各プログラムを読み出して、ＲＡＭ１０８に展開して実行することで、各種の処理を行う。また、これらのプログラムは、例えば、サービスエージェント２０１、ポータルアプリ２０２、個別アプリ２０３ａ、２０３ｂの機能を実現する。
【００７５】
なお、上記のプログラムは、必ずしもハードディスク装置１０９に記憶されている必要はない。例えば、情報処理装置１００が読み取り可能な記憶媒体に記憶されたプログラムを、情報処理装置１００が読み出して実行するようにしてもよい。情報処理装置１００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこのプログラムを記憶させておき、情報処理装置１００がこれらからプログラムを読み出して実行するようにしてもよい。
【符号の説明】
【００７６】
１…情報提供システム
２…クライアント端末
３…サーバ装置
４…管理端末
１０…宿泊者
２０…制御部
２１…記憶部
２２…表示部
３０…制御部
３１…記憶部
１００…情報処理装置
２０１…サービスエージェント
２０２…ポータルアプリ
２０３ａ、２０３ｂ…個別アプリ
２１１…コンテンツ管理
２１２…メッセージデータ
２２０…ポータル画面
２２０ａ…連動コンテンツ画面
２２０ｂ…コンテンツトップ画面
２２１…メッセージ表示アイコン
２２２…時計
２２３…実行指示アイコン
２２３ａ…強調表示
２２４…設定指示アイコン
２２５…テロップ表示領域
２２６…コンテンツ
２２７…メニューボタン
３０１…管理部
３０２…通信処理部
３１１…管理ＤＢ
３１１ａ…テロップスケジュール
３１１ｂ…テロップ内容
３１１ｃ…コンテンツ管理
【図１】
2017167674.tif 000003
【図２】
2017167674.tif 000004
【図３】
2017167674.tif 000005
【図４】
2017167674.tif 000006
【図５】
2017167674.tif 000007
【図６】
2017167674.tif 000008